(57)【要約】【課題】車椅子の身体障害者が、引き戸を通過する場合には、通過後に車椅子の方向を変えて引き戸を閉め、又、ドアを手前に引いて開ける場合には車椅子を後退させて開ける苦労を解決し、ドアの両面いずれからでも通過者が同じ動作で前方へ開らくドアを提供する。【解決手段】入り口左右の支柱に設けるドア１の支持軸２，３とドアに設ける前記支持軸の軸受け１０によりドアを支持する支持装置を左右両側に備えるドアにおいて、ドアの上下両側に設ける前記の支持軸の軸受け１０はドアに設けた押圧板４を押す時に軸受けの支持軸を押さえに設けたべろ１１を引いて支持軸２，３の軸受け１０が外れるように構成し、左右支柱の上側の支持軸の袖１８ａを下側の支持軸の袖１８ｂより長くして、ドア１の両面いずれからでも押圧板４を押し開き、車椅子が後退する必要が無く、身体障害者が扉の開閉に無駄なく動作出来るようにしたことを特徴とする両面押し開きドア。【選択図】図１３
2004019325.tif 000002
【特許請求の範囲】
【請求項１】
入り口の支柱に設けるドアの支持軸とドアに設ける前記支持軸の軸受けによりドアを支持する支持装置を左右両側に設けたドアにおいて、ドアの上下両側に設ける前記の支持軸の軸受けはドアに設けた押圧板を押すことにより軸受けの支持軸を押さえに設けたべろを引いて支持軸の軸受けが外れるように構成したことにより、ドア両面のいずれからでドアの通過者にとって同じ動作でドアを前方へ開く事が出来るようにしたこと特徴とする両面押し開きドア。
【請求項２】
左右支柱に設けた支持軸の上側の支持軸の袖を下側の支持軸の袖より長くして支柱に設け、ドア開時にドアの傾斜軌跡に沿って力を加えないで閉まるようにしたことを特徴とする請求項１に記載の両面押し開きドア。
【請求項３】
押圧板を押すと押圧板に設けたラックが後退してこれに噛合しているピニオンの軸が回転して、この軸に設けたワイヤー巻とりローラに設けたワイヤーの一端をべろに連結し、べろを引いて軸受けの支持軸を外して、もう一方のドアの支持装置によりドアが回転する事が出来るようにした請求項１に記載の両面押し開きドア。
【請求項４】
ドアにはばねを設けばねの一方を下方の支持装置のべろに連結して、ばねのもう一方を上方の支持装置のべろに連結して、ばねには磁石を設け、この磁石と向き合う位置にドアの支柱に磁石を設けて、両磁石の同極の磁界内で反発するようにして、ドアの閉鎖直前でべろを引いて、軸受けに支持軸を入れて、磁石が磁界を離れべろが元に戻って閉鎖出来るようにした請求項１又は請求項３に記載の両面押し開きドア。
【請求項５】
ドアの底面にボールローラを設ける事を特徴とする請求項１乃至請求項４のいずれかの各項に記載の両面押し開きドア。
【発明の詳細な説明】
【０００１】
【発明の属する技術分野】本発明に係る両面押し開きドアは、身体障害者用車椅子がドアの両面いずれからでも、ドアの通過者にとって同じ動作でドアを前方へ押し開いて、入退室をし易くすることを目的とするドアを提供するものである。
【０００２】
【従来の技術】車椅子に乗った身体障害者用車椅子の通過を考慮した開閉ドア装置は、特開平１１−０５０７３２号、特開平１１−０５０７３３号、特開平１１−１０１０５５号、特開平１１−１０１０５６号の各公開特許公報に掲載されている。引き戸に関しては、特開平２００２ー９７８５０号の公開特許公報に記載されている。
【０００３】
【発明が解決しようとする課題】本発明は、車椅子に乗っている身体障害者が、引き戸を通過する場合には、通過後に車椅子の方向を変えて引き戸を閉めなければならない。又、ドアを手前に引いて開ける場合には車椅子を後退させて開けねばならないので苦労する。これらの問題を解決し、入退出に際してドアを開けようとする時はドアの両面いづからでも、ドアの通過者が正面に設けた押圧板を押しながら前方へ押し開けて車椅子を通過させる事が出来る両面押し開きドアを提供しようとするものである。
【０００４】
【課題を顔決するための手段】本発明に係る両面押し開きドアは、入り口左右の支柱に設けるドアの支持軸とドアに設ける前記支持軸の軸受けによりドアを支持する支持装置をドアの左右両側に設け、ドアの上下両側に設ける前記の支持軸の軸受けはドアに設けた押圧板を押す時に軸受けの支持軸を押さえに設けたべろを引いて支持軸の軸受けが外れるように構成し、左右支柱の上側の支持軸の袖を下側の支持軸の袖より長くして支柱に設け、ドア開閉時に車椅子が後退する必要が無く、身体障害者が扉の開閉に無駄なく動作出来るようにしたことを特徴とする両面押し開きドアである。
【０００５】請求項１に記載の発明は、入り口の支柱に設けるドアの支持軸とドアに設ける前記支持軸の軸受けによりドアを支持する支持装置を左右両側に設けたドアにおいて、ドアの上下両側に設ける前記の支持軸の軸受けはドアに設けた押圧板を押すことにより軸受けの支持軸を押さえに設けたべろを引いて支持軸の軸受けが外れるように構成したことにより、ドア両面のいずれからでもドアの通過者が同じ動作でドアを前方へ開く事が出来るようにしたこと特徴とする両面押し開きドアである。
【０００６】請求項２に記載の実施態様は、両面押し開きドアの構成において、左右支柱に設けた支持軸の上側の支持軸の袖を下側の支持軸の袖より長くして支柱に設け、この結果ドアは回転軸芯が若干傾斜して支柱に取り付けられ、ドア開時にドアの傾斜軌跡に沿って開きそして閉まるようにしたことを特徴とする。
【０００７】請求項３に記載の実施態様は、両面押し開きドアの構成において、ドアを開けようとして押圧板を押すと押圧板に設けたラックが後退してこれに噛合しているピニオンの軸が回転して、この軸に設けたワイヤー巻とりローラに設けたワイヤーの一端をべろに連結し、べろを引いて軸受けの支持軸を外して、もう一方のドアの支持装置によりドアが回転する事が出来るようにしたものである。
【０００８】請求項４に記載の実施態様は、両面押し開きドアの構成において、ドアにはばねを設けばねの一方を下方の支持装置のべろに設け、ばねのもう一方を上方の支持装置のべろに設けて、ばねには磁石を設け、この磁石と向き合う位置にドア支柱に磁石を設けて、両磁石の同極の磁界内で反発するようにして、ドアの閉鎖直前でべろを引いて、軸受けに支持軸を入れて磁石が磁界を離れべろが元に戻って閉鎖出来るようにしたものである。
【０００９】請求項５に記載の実施態様は、請求項１乃至請求項４の各項に記載の両面押し開きドアの構成において、ドアの底面にボールローラを設けることによりドアの開閉を軽くしたものである。
【００１０】
【発明の実施の形態】本発明の技術思想は、実施例において次に記載の構成に具体化されている。
【００１１】本発明の実施例は、入り口の支柱に設けるドアの支持軸とドアに設ける前記支持軸の軸受けにより、ドアを左右両側の支持装置のいずれかで支持する事が出来る支持装置をドアの左右両側に設けて、ドア両面のいずれからでも押し開く事が出来るようにドアを構成するものである。
【００１２】ドアの左右側面に上下に設ける前記の支持軸の軸受けは、ドアに設けた押圧板を押すことにより軸受けの支持軸を押さえに設けたべろを引いて、支柱に設けたそれぞれの支持軸の軸受けが外れるように構成している。
【００１３】この構成にしたことにより、ドアの左右に設ける支持装置のいずれか一方でドアを支持して開閉可能にしてあり、ドア両面のいずれからでもドアを前方へ開く事が出来る。
【００１４】実施例１，２のドア支持装置は、前記したように押圧板を押さえると一方の支持装置が外れて、もう一方の支持装置により支持されているドアが回転するようになっているものである。実施例１は、前記袖の長さが上下共に等しい長さにしてあり、このためにドアの回転軸は垂直でありそしてドアの傾斜軌跡がなく床に対して平行に開き、平行に閉まるドアである。実施例２は、左右支柱に設けた支持軸の上側の支持軸の袖を下側の支持軸の袖より若干長くして支柱に設け、これらの上下支持軸を結ぶ線は若干傾斜しており、これを回転軸にしてドア開時にドアの傾斜軌跡に沿って開きそして元の位置に閉まるようにする。従って、実施例２は、上下袖の長さが異なり、このためにドア開時にドアが僅かに傾斜して開き、そのドアは傾斜軌跡を描くためその傾斜軌跡に沿ってドアが自重のモメントで閉まるようになっている。実施例のドアの支持軸の周りには、遊びのために緩衝材のリングを入れてあり、支持軸に対してこれを受ける軸受けがドアの若干の傾斜にも耐えられるようにしてある。
【００１５】押圧板を押すと押圧板に設けたラックが後退してこれに噛合しているピニオンの軸が回転するようにして、この軸にワイヤー巻とりローラを設け、このローラに設けたワイヤーの一端をべろに連結してある。このドアの開閉装置をドアの両面に設け、押圧板を車椅子で手の届くドアの正面及び足元にも設けることにより、手で押し開く事も出来るし、又車椅子で押し開く事も出来る。
【００１６】べろは、通常は軸受けが支持軸から外れないように軸受けの支持軸を押さえていて、ドア開時には軸受けに設けたべろが外れるとドアが開くようになり、軸受けの蓋のような働きをしている。べろの作用により軸受けの蓋が開いて、もう一方の支持装置を軸にしてドアを開く事が出来る。
【００１７】ドア内部には板ばねを設け、ばねの一方を下方の支持装置のべろに設け、ばねのもう一方を上方の支持装置のべろに連結してある。ドア支柱には磁石を設けてこの磁石に向き合うばねにも磁石を設け、両磁石は同極の磁界内で反発するようにしてある。磁石とばねの作用は、ドアの閉鎖直前で両磁石の同極は反発しあってべろを引いて、軸受けに支持軸を入れる事が出来るが、軸受けに支持軸を入れた状態で両磁石が磁界を離れたら、ばねの作用でべろが軸受けの元に戻って軸受けに蓋をし、支持軸を入れた支持装置になるようにするものである。ばねは、板ばねである。
【００１８】ドアの底面に設けられるボールローラは、床にレールを設けてその上でボールローラを滑らせて、身体障害者がドアの押し開きと閉鎖を容易にする事が出来るようにするためのものである。ドア底面のボールローラは、実施例１においては、ドアが平行に開き平行に閉まり易く、実施例２においては、ドアがやや傾斜しても開き易く、閉まる場合には傾斜軌跡を元の位置に戻り易くなる。
【００１９】
【実施例】添付図面は、本発明の実施例について図示している。
図１は、両面押し開きドアの正面図、図２は、ドアの支持装置の正面図、図３は、同上平面図、図４は、実施例１の両面押し開きドアの支持装置を示す正面図、図５は、開閉装置の側面図、図６は、同上開閉装置の拡大側面図、図７は、実施例１のドアの開閉装置の正面透視図、図８は、実施例１の両面押し開きドアの開閉装置の両面透視図、図９は、底面にボールローラを設けたドアの正面図、図１０は、同上ドアの底面展開図、図１１は、両面の押し開きドアの開閉状態を示す平面図、図１２は、実施例２の両面押し開きドアの支持装置を示す正面図、図１３は、実施例２の両面押し開きドアの開閉装置の両面透視図をそれぞれ示すものである。図面に基づいて、実施例１，２について詳細に説明する。
【００２０】
【実施例１】実施例１の構成について説明する。ドア支持装置は、ドアの左右両側に設けてあり、支柱１９並びに支柱２０に設けた上下支持軸２，３をドア１に設けた軸受け１０により軸支している。ドア側の軸受け１０にべろ１１が設けられていて、ドアを開けようとして押圧板４を押さえると開閉装置が作動して、べろ１１は軸受け１０から外れて、軸受け１０の中に軸支されている支柱側の上下支持軸２，３も外れて、もう一方の支柱とドア１の一方に設けた支持装置によりドアが回転する。
【００２１】実施例１は、前記支持軸の袖１８の長さが上下支持軸２，３共に等しい長さにしてあるためドア１が開いて床に対して平行に開き、平行に閉まる。ドア側の軸受け１０に軸支された支持軸２，３の周りには、遊びのために緩衝材のリング１２を入れて、軸受け１０がドア１の僅かな傾斜によっても無理がかからず、軸受けが耐えられるようにしてある。
【００２２】ドアの開閉装置について説明すれば、ドア１の両面に設けたそれぞれ押圧板４の裏面には、押圧板戻しのスプリング１６が設けられ更に内側にラック５が設けられている。ラック５はピニオン６に噛合して、ピニオンの軸７が回転するようにしてある。ピニオン軸７には、べろを開閉するワイヤー６の巻とりローラ８を設け、このローラ８に設けたワイヤー９の一端を軸受けの蓋に設けたべろ１１に連結してある。この開閉装置の押圧板４をドアの正面手の届く所及び足元に設ける。
【００２３】べろ１１は、軸受け１０の蓋として設けられ、軸受け１０が支持軸２，３から外れないように軸受けの支持軸を押さえていて、軸受け１０の蓋の働きをしている。押圧板４を押すとピニオン軸７が回転して、ワイヤー９はべろ１１を引いて軸受け１０の蓋が開いて、ドアの一方の支持装置の支持軸を軸芯にして、ドアの両面のいづれからでもドア１を前方へ押し開く事が出来る。
【００２４】ドア１を閉じる時にはべろ１１が引いて軸受け１０が開いて、閉じるドアの軸受け１０に支柱に設けた上下支持軸２，３が入る事が必要である。この目的の為に、上下両支持軸２，３には回転自在なリング１２を入れ、ドア１に設けた板ばね１５の一方をそれぞれ上方と下方のべろ１１に連結し、べろの先端には傾斜を設けている。
【００２５】更に同上の目的で軸受けのべろを開くために、ドアの支柱１９には磁石１７を設けてこの磁石に向き合う前記の板ばね１５にも磁石１７を設け、ドアが閉まる直前で両磁石は同極の磁界内で反発するようにしてある。板ばね１５と磁石１７の作用は、ドアの閉鎖直前で両磁石の同極は反発しあってべろ１１を引いて、軸受け１０を開き上下支持軸２，３を入れる事が出来るが、軸受け１０に支持軸を入れた状態でドア１が閉まり両磁石が磁界を離れたら、板ばね１５の作用でべろ１１が軸受け１０の元に戻って軸受けに蓋をする。
【００２６】実施例１においても、ドア底面にボールローラ１３を設け、ドア１が平行に開き或いは平行に閉まり易く、ドアの底面に設けられるボールローラ１３は、床にレール１４を敷いて滑らせてある。
【００２７】
【実施例２】実施例２においては、上支持軸２の袖１８ａの長さを下支持軸３の袖１８ｂより長くして、ドア１がやや傾斜して開き、傾斜軌跡を元の位置に戻り易くしたものである。図１２，１３に基づいて説明すれば、実施例１のドアが床面に平行に開くのに対して、実施例２のドアは傾斜して開かれる。そのために、ドア支柱に設けた支持軸２，３の上下袖１８ａ，１８ｂの長さが異なるように支持軸をドア支柱１９，２０に取り付け、ドア開時にドアが僅かに傾斜して傾斜軌跡を描いて開く。その傾斜軌跡に沿って、開らかれたドア１が自重のモメントで閉まり易くなるようになっている。実施例２は、上下支持軸２，３の袖の長さが上下異なる以外には、実施例１の構成に共通の構成になされている。
【００２８】
【発明の効果】本発明の効果は、請求項１乃至請求項５の各項に記載の構成により、次の効果を奏するものである。
【００２９】ドアの通過者が同じ動作でドアを前方へ押し開く事が出来るので、車椅子の通過を容易にする両面押し開きドアを提供する事が出来る。
この発明により、車椅子に乗車して入室及び退室しようとする時には、車椅子をわざわざ後退させてドアを開く必要が無くなった。入り口の内外のどちら側からでも、ドアに設けた開閉用の押圧板を押せば、ドアは手前に引かなくとも必ず向こう側に開くことが出来るように支持装置を工夫したために、車椅子をわざわざ後退させてドアを開く必要が無くなったものである。
【００３０】ドアの上支持軸を下支持軸より内側に若干ずらせてあり、上支持軸は袖を長くしてドアの内側の方に移動してあるので、回転軸が若干傾斜して押し開いたドアの傾斜軌跡をドアの自重により移動して、押し開いたドアは手の届く範囲に戻って来る事が出来る。このために、ドアを閉じる作業が容易に出来る。
【００３１】本発明により、押圧板は手元でも車椅子でも押し開く事が出来るので、身体障害者にも優しく、ドアを手前に引く操作が無くしてあり、並びに開き過ぎたドアを閉めるための動きが少なくなるようにしてあり、入退室時に入り口で車椅子での後退もなく、ドアの開け閉めが軽く出来る。
【００３２】ドアの開け閉めが軽く出来るボールローラをドア底面に有し、このローラの滑りレールを床に設けた事により、身体障害者にも優しいドアを提供する事が出来る。
【図面の簡単な説明】
【図１】両面押し開きドアの正面図
【図２】ドアの支持装置の正面図
【図３】同上平面図
【図４】実施例１の両面押し開きドアの支持装置を示す正面図
【図５】開閉装置の側面図
【図６】同上開閉装置の拡大側面図
【図７】実施例１のドアの開閉装置の正面透視図
【図８】実施例１の両面押し開きドアの開閉装置の両面透視図
【図９】底面にボールローラを設けたドアの正面図
【図１０】同上ドアの底面展開図
【図１１】両面の押し開きドアの開閉状態を示す平面図
【図１２】実施例２の両面押し開きドアの支持装置を示す正面図
【図１３】実施例２の両面押し開きドアの開閉装置の両面透視図
【符号の説明】
１．．．ドア
２．．．上支持軸
３．．．下支持軸
４．．．押圧板
５．．．ラック
６．．．ピニオン
７．．．ピニオン軸
８．．．ワイヤー巻とりローラ
９．．．ワイヤー
１０．．．軸受け
１１．．．べろ
１２．．．緩衝材（リング）
１３．．．ボールローラ
１４．．．レール
１５．．．べろの開閉のための板ばね
１６．．．押圧板戻しのスプリング
１７．．．磁石
１８，１８ａ，１８ｂ．．．袖
１９，２０．．．ドア支柱
【図１】
2004019325.tif 000003
【図２】
2004019325.tif 000004
【図３】
2004019325.tif 000005
【図４】
2004019325.tif 000006
【図５】
2004019325.tif 000007
【図６】
2004019325.tif 000008
【図７】
2004019325.tif 000009
【図８】
2004019325.tif 000010
【図９】
2004019325.tif 000011
【図１０】
2004019325.tif 000012
【図１１】
2004019325.tif 000013
【図１２】
2004019325.tif 000014
【図１３】
2004019325.tif 000015